【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
被写体像を結像する光学系と、前記光学系の被写体像を取得する撮像面とを有する光学機器の調整方法において、
前記撮像面上に設けられた複数の検出対象箇所における目標像面位置を検出する目標像面位置検出工程と、
前記目標像面位置に基づいて、前記撮像面を前記光学系の光軸に対して傾斜させる撮像面移動工程と
を備えることを特徴とする光学機器の調整方法。
【請求項２】
請求項１に記載の光学機器の調整方法において、
前記目標像面位置検出工程は、前記被写体像の錯乱円のサイズに基づいて前記目標像面位置を検出すること
を特徴とする光学機器の調整方法。
【請求項３】
請求項１又は請求項２に記載の光学機器の調整方法において、
前記目標像面位置検出工程は、前記撮像面上に離間して配置された２点と、前記撮像面上に前記２点を結ぶ直線から外れて配置された１点とを含む３以上の検出対象箇所を用いて前記目標像面位置を検出すること
を特徴とする光学機器の調整方法。
【請求項４】
請求項１から請求項３までのいずれか１項に記載の光学機器の調整方法において、
前記検出対象位置の少なくとも一つは、前記撮像面の中心と端部との間を７：３に内分する位置に設けられること
を特徴とする光学機器の調整方法。
【請求項５】
請求項１から請求項４までのいずれか１項に記載の光学機器の調整方法において、
第１の前記検出対象位置は前記撮像面の中心位置に設けられており、第２の前記検出対象位置は前記撮像面の中心と端部との間を７：３に内分する位置に設けられており、第３の前記検出対象位置は前記撮像面において前記端部と直交する他の端部と前記撮像面の中心との間を７：３に内分する位置に設けられていること
を特徴とする光学機器の調整方法。
【請求項６】
請求項１から請求項５までのいずれか１項に記載の光学機器の調整方法において、
前記光学系はその焦点距離を変更可能なズームレンズであって、
前記目標像面位置検出工程は、前記光学系の焦点深度が最も浅くなる焦点距離において前記目標像面位置を検出すること
を特徴とする光学機器の調整方法。
【請求項７】
請求項１から請求項５までのいずれか１項に記載の光学機器の調整方法において、
前記光学系は、その焦点距離を変更可能なズームレンズであって、
前記目標像面位置検出工程は、前記光学系の焦点距離が異なった複数のポジションにおいてそれぞれ前記目標像面位置を検出し、
前記撮像面移動工程は、前記複数のポジションにおいてそれぞれ検出した複数の目標像面位置に基づいて前記撮像面を傾斜させること
を特徴とする光学機器の調整方法。
【請求項８】
請求項７に記載の光学機器の調整方法において、
前記複数のポジションは、前記光学系の焦点深度が最も浅くなるポジションを含むこと
を特徴とする光学機器の調整方法。
【請求項９】
請求項７に記載の光学機器の調整方法において、
前記複数のポジションは、前記光学系の焦点距離が最も短くなるポジションを含むこと
を特徴とする光学機器の調整方法。
【請求項１０】
請求項１から請求項９までのいずれか１項に記載の光学機器の調整方法において、
前記撮像面移動工程は、前記撮像面を前記光学系の光軸に対して傾斜させるとともに、前記撮像面を前記光学系に対してその光軸方向に相対移動させること
を特徴とする光学機器の調整方法。
【請求項１１】
被写体像を結像する光学系と、
前記光学系の前記被写体像を取得する撮像面を有する撮像部と、
前記光学系の光軸に対する前記撮像面の傾きを変化させる調整機構と
を備える光学機器。
【請求項１２】
請求項１１に記載の光学機器において、
前記調整機構は、前記撮像面の前記傾きを変化させるとともに、前記撮像面を前記光学系に対してその光軸に相対移動させること、
を特徴とする光学機器。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
本発明は、以下のような解決手段により、前記課題を解決する。
請求項１の発明は、被写体像を結像する光学系と、前記光学系の被写体像を取得する撮像面とを有する光学機器の調整方法において、前記撮像面上に設けられた複数の検出対象箇所における目標像面位置を検出する目標像面位置検出工程と、前記目標像面位置に基づいて、前記撮像面を前記光学系の光軸に対して傾斜させる撮像面移動工程とを備えることを特徴とする光学機器の調整方法である。
請求項２の発明は、請求項１に記載の光学機器の調整方法において、前記目標像面位置検出工程は、前記被写体像の錯乱円のサイズに基づいて前記目標像面位置を検出することを特徴とする光学機器の調整方法である。
請求項３の発明は、請求項１又は請求項２に記載の光学機器の調整方法において、前記目標像面位置検出工程は、前記撮像面上に離間して配置された２点と、前記撮像面上に前記２点を結ぶ直線から外れて配置された１点とを含む３以上の検出対象箇所を用いて前記目標像面位置を検出することを特徴とする光学機器の調整方法である。
請求項４の発明は、請求項１から請求項３までのいずれか１項に記載の光学機器の調整方法において、前記検出対象位置の少なくとも一つは、前記撮像面の中心と端部との間を７：３に内分する位置に設けられることを特徴とする光学機器の調整方法である。
請求項５の発明は、請求項１から請求項４までのいずれか１項に記載の光学機器の調整方法において、第１の前記検出対象位置は前記撮像面の中心位置に設けられており、第２の前記検出対象位置は前記撮像面の中心と端部との間を７：３に内分する位置に設けられており、第３の前記検出対象位置は前記撮像面において前記端部と直交する他の端部と前記撮像面の中心との間を７：３に内分する位置に設けられていることを特徴とする光学機器の調整方法である。
請求項６の発明は、請求項１から請求項５までのいずれか１項に記載の光学機器の調整方法において、前記光学系はその焦点距離を変更可能なズームレンズであって、前記目標像面位置検出工程は、前記光学系の焦点深度が最も浅くなる焦点距離において前記目標像面位置を検出することを特徴とする光学機器の調整方法である。
請求項７の発明は、請求項１から請求項５までのいずれか１項に記載の光学機器の調整方法において、前記光学系は、その焦点距離を変更可能なズームレンズであって、前記目標像面位置検出工程は、前記光学系の焦点距離が異なった複数のポジションにおいてそれぞれ前記目標像面位置を検出し、前記撮像面移動工程は、前記複数のポジションにおいてそれぞれ検出した複数の目標像面位置に基づいて前記撮像面を傾斜させることを特徴とする光学機器の調整方法である。
請求項８の発明は、請求項７に記載の光学機器の調整方法において、前記複数のポジションは、前記光学系の焦点深度が最も浅くなるポジションを含むことを特徴とする光学機器の調整方法である。
請求項９の発明は、請求項７に記載の光学機器の調整方法において、前記複数のポジションは、前記光学系の焦点距離が最も短くなるポジションを含むことを特徴とする光学機器の調整方法である。
請求項１０の発明は、請求項１から請求項９までのいずれか１項に記載の光学機器の調整方法において、前記撮像面移動工程は、前記撮像面を前記光学系の光軸に対して傾斜させるとともに、前記撮像面を前記光学系に対してその光軸方向に相対移動させることを特徴とする光学機器の調整方法である。
請求項１１の発明は、被写体像を結像する光学系と、前記光学系の前記被写体像を取得する撮像面を有する撮像部と、前記光学系の光軸に対する前記撮像面の傾きを変化させる調整機構とを備える光学機器である。
請求項１２の発明は、請求項１１に記載の光学機器において、前記調整機構は、前記撮像面の前記傾きを変化させるとともに、前記撮像面を前記光学系に対してその光軸に相対移動させること、を特徴とする光学機器である。